(57)【要約】      （修正有）【課題】  両足、尾に自由度のある専用の穴部を設け、後足、尾等の穴部の周りにゴム等を通して体にフィットさせたので、動いても尿等が漏れなく、且つ市販のおむつをそのまま使用できコストダウンが図れるペット用おむつカバーの提供。【解決手段】  前足穴部を持つ胴部シートＡとペットの肛門部を露出するように長目の切れ目状の尾穴部を有する尻部シートＢとの連続したシートのペット用おむつカバーで、その組み立て時に胴部シートＡの前部がペットの首穴部を、胴部シートＡの後部と尻部シートＢの側面部とで後足穴部を構成し、胴部シートＡにその両側面で互いに仮着する上部係合部及び尻部シートＢの先端部とそれに対応する該胴部シートＡの後端部に互いに仮着する腰部係合部を設け、おむつカバーの穴部の周囲に伸縮部を設けること。【選択図】  図１
2006262880.tif 000002
【特許請求の範囲】
【請求項１】
前足に対応する部分に左右２つの足穴部を有する胴部シートＡと尾に対応する部分にペットの尾部下方の肛門部を十分に露出するに十分な長目の切れ目状の尾穴部を有する尻部シートＢとが連続したシートからなるペット用おむつカバーであって、
該おむつカバーをペットに装着時に、胴部シートＡの前部がペットの首穴部を構成し、胴部シートＡの後部と尻部シートＢの側面部とで後足穴部を構成するものであり、且つ
胴部シートＡにその両側面で互いに仮着する上部係合部及び尻部シートＢの先端部とそれに対応する該胴部シートＡの後端部に互いに仮着する腰部係合部を設け、
しかも、おむつカバーの穴部の周囲に伸縮部を設けることを特徴とするペット用おむつカバー。
【請求項２】
該伸縮部が、ペットの尿等が漏れる恐れのあるおむつカバーの後足穴部に相当する部位の周囲と尾穴部の周囲に設けられ、且つゴム等からなる弾性材を織り込むか或いはゴム紐等を通したものであることを特徴とする請求項１記載のペット用おむつカバー。
【請求項３】
該伸縮部が設けられた穴部の他の穴部の周囲に天然又は合成の布又はシートからなる生地による補強用縁取りを施すことを特徴とする請求項１又は２記載のペット用おむつカバー。
【請求項４】
上部係合部、腰部係合部がベルクロ（マジックテープ；商品名）又はスナップボタンであることを特徴とする請求項１〜３のいずれかに記載のペット用おむつカバー。
【請求項５】
胴部シートＡの内側中央部におむつ装着シートを設け、該おむつ装着シートが、装着面側に粘着層を持つおむつでは合成樹脂シートであり、粘着層を持たないおむつでは粘着シート又はベルクロ（マジックテープ）であることを特徴とする請求項１〜４のいずれかに記載のペット用おむつカバー。
【請求項６】
ペット用おむつカバー地が少なくとも伸縮編又は伸縮織である木綿等の通気性天然生地からなることを特徴とする請求項１〜５のいずれかに記載のペット用おむつカバー。
【請求項７】
ペットの丈、胴周り、首周り、足周り、尾周り等の体型や品種の違い等により複数種に標準化した該おむつカバーを提供し、且つそれに合わせて使用する市販のおむつのタイプを該おむつカバー地又はその包装袋に表示することを特徴とする請求項１〜６のいずれかに記載のペット用おむつカバー。
【発明の詳細な説明】
【技術分野】
【０００１】  本発明は、動いても尿等が漏れないペット用おむつカバーに関する。
詳しくは、本発明のペット用おむつカバーは、両足、尾に自由度のある専用の穴部を設けてあるので、また、後足、尾等の穴部の周りに伸縮自在なゴム等を通して体にフィットさせたので、動いてもおむつカバーが外れ難く尿等の漏れが生じ難く、また、尾穴部の大きさもペットの尾と共に肛門部が十分に露出するように長目の切れ目状尾穴部としたので、ペットの糞の回収・処理が容易であり、且つ装着したおむつのズレが生じる恐れが少ない。
更に、本発明のペット用おむつカバーは、市販の成人用等のおむつや女性用生理パット等をそのまま利用できコストダウンが図れると共に、糞尿処理が容易で衛生的である。しかも、おむつカバー用の生地も通気性の良い素材なら市販のものをそのまま使用できてコストダウンが図れ、通常のペットは勿論のこと、特に高齢ペットの介護に最適である。
【背景技術】
【０００２】  近年、住環境等の生活環境の変化に伴って、犬、猫等の四足動物からなるペットを室内で飼育することが多くなっている。しかし、これらのペットは、老衰や事故、病気等によって寝たっきりの状態とならなくても、体力の衰えにより日常生活の介護を要する状態になったときに、ペットが排泄する糞尿や生理排泄物等の汚物が撒き散らされ、室内が汚損されるのを防止し、また、ペットの生活環境を常に清潔な状態に保つためにも、排泄された汚物をこまめに回収して始末する必要がある。
また、これらの介護を要するペットにおいては、室内に居る時だけでなく、屋外での散歩等に際しても、糞尿等の汚物のまき散らしによる周囲環境の汚損を防止する必要がある。【０００３】  そこで、ペットにもおむつを装着することが行われ、従来、市販の乳幼児用または成人、老人用のおむつをペット用に改造して使用したり、ペット用に市販されている紙おむつ等が使用されている。
しかし、これらの従来の方法または市販のおむつ製品によっては、多様なペットの体型や体格に合わせることが難しく、また、ペットにおむつを装着する際に装着が面倒であったり、ペットが嫌がって暴れて装着するのが困難となったり、装着しても足で外してしまうこともある。【０００４】  そこで、各種のおむつカバーが提案されている。
例えば、（ｉ）ペットの後胴体のみに装着されるペット用おむつカバー（特許文献１）では、立った状態のままであれば良いが、ペットは動き回るのでズレが生じる。  また、下半身の悪いペットには全く不向きであり、その点で実用性が薄い。
（ｉｉ）ペットの後胴体のみに装着されるペット用おむつカバーが互いに交差する２本の肩紐によりペットの肩部に保持される構造のおむつカバー（特許文献２）では、ペットが動く度に肩紐がズレ、肩紐がペットの腕部に食い込む点で実用性がない。
（ｉｉｉ）前足用の穴が設けられた胸当てと尾用切れ込みの入った形状のおむつとが一体に形成された犬等のペット用おむつカバー（特許文献３）では、おむつがカバーと一体となっているので、少々の汚れでも交換が必要であり、かなりコスト高で実用性は薄い。また、このカバーは一体型のために排便の処理に対しても不衛生である。
（ｉｖ）予め袋状に作製されたおむつ本体を、ペットの背中に置いた取付バンドを介して吊りバンドにより保持した構造の犬用おむつ（特許文献４、５）では、立った状態では糞尿は漏れないが、横になったり、寝た状態や寝返りをすると漏れる可能性が高い。このおむつは全て自家製なのでコスト高であって、実用性は薄い。
【特許文献１】実用新案登録第３０８１４８１号
【特許文献２】特開２００２−２３８３９４号公報
【特許文献３】実用新案登録第３０９４８６０号
【特許文献４】実用新案登録第３００１８４３号
【特許文献５】特開平７−２４６０３６号公報
【発明の開示】
【発明が解決しようとする課題】
【０００５】  上記公知のおむつカバーは、殆どがお尻部分のみを対象としていてペットが動くとはずれ易く、或いは尾を外に出すだけなので、排便するとおむつの中に放置することになり、不衛生且つかぶれ等の原因になる。
また、ペット用おむつを用いると、コスト高となる等の課題がある。
【課題を解決するための手段】
【０００６】  そこで、本発明者は、上記課題を種々検討した結果、（ｉ）両足、尾等に自由度のある専用の穴部を設け、また、後足、尾等の穴部の周りに相当するカバー部分に伸縮自在なゴム等を通して体にフィットさせたので、動いてもおむつカバーが外れ難く尿等の漏れが生じないし且つ装着したおむつのズレが生じる恐れが少ないこと、（ｉｉ）尾穴部の大きさもペットの尾と共に肛門部が十分に露出するように長目の切れ目状尾穴部としたので、ペットの糞の回収・処理が容易であること、（ｉｉｉ）更に、市販の成人用や女性用衛生パットをそのまま利用できコストダウンが図れること、（ｉｖ）このおむつカバーに簡単な係合部を設けたので、ペットへの装着、脱着が簡単であり、糞尿処理が容易で衛生的であること、（ｖ）おむつカバー用の生地も通気性の良い（伸縮性）素材なら市販のものをそのまま使用できてコストダウンが図れこと等により、通常のペットは勿論のこと、特に高齢ペットの介護に最適であることを見出し、本発明を完成するに至った。【０００７】  即ち、本発明は；
（１）  前足に対応する部分に左右２つの足穴部を有する胴部シートＡと尾に対応する部分にペットの尾部下方の肛門部を十分に露出するに十分な長目の切れ目状の尾穴部を有する尻部シートＢとが連続したシートからなるペット用おむつカバーであって、
該おむつカバーをペットに装着時に、胴部シートＡの前部がペットの首穴部を構成し、胴部シートＡの後部と尻部シートＢの側面部とで後足穴部を構成するものであり、且つ
胴部シートＡにその両側面で互いに仮着する上部係合部及び尻部シートＢの先端部とそれに対応する該胴部シートＡの後端部に互いに仮着する腰部係合部を設け、
しかも、おむつカバーの穴部の周囲に伸縮部を設けるペット用おむつカバーを提供する。また、
（２）  該伸縮部が、ペットの尿等が漏れる恐れのあるおむつカバーの後足穴部に相当する部位の周囲と尾穴部の周囲に設けられ、且つゴム等からなる弾性材を織り込むか或いはゴム紐等を通したものである点に特徴を有する。また、
（３）  該伸縮部が設けられた穴部の他の穴部の周囲に天然又は合成の布又はシートからなる生地による補強用縁取りを施す点に特徴を有する。また、
（４）  上部係合部、腰部係合部がベルクロ（マジックテープ；商品名）又はスナップボタンである点に特徴を有する。また、
（５）  胴部シートＡの内側中央部におむつ装着シートを設け、該おむつ装着シートが、装着面側に粘着層を持つおむつでは合成樹脂シートであり、粘着層を持たないおむつでは粘着シート又はベルクロ（マジックテープ）である点に特徴を有する。また、
（６）  ペット用おむつカバー地が少なくとも伸縮編又は伸縮織である木綿等の通気性天然生地からなる点に特徴を有する。また、
（７）  ペットの丈、胴周り、首周り、足周り、尾周り等の体型や品種の違い等により複数種に標準化した該おむつカバーを提供し、且つそれに合わせて使用する市販のおむつのタイプを該おむつカバー地又はその包装袋に表示する点に特徴を有する。
【発明の効果】
【０００８】  本発明のペット用おむつカバーは、（ｉ）首、両足、尾等に自由度のある専用の穴部を設け、また、後足、尾等の穴部の周りに相当するカバー部分に伸縮自在なゴム等を通して体にフィットさせたので、動いてもおむつカバーが外れ難く尿、生理血液等の漏れが生じないし、更に、装着したおむつのズレが生じる恐れが少ない。
（ｉｉ）尾穴部の大きさもペットの尾と共に肛門部が十分に露出するように長目の切れ目状尾穴部としたので、ペットの糞の回収・処理が容易である、
（ｉｉｉ）市販の老人用や幼児用のおむつをそのまま利用できコストダウンが図れて飼主の負担が軽減される。
（ｉｖ）このおむつカバーに簡単な係合部を設けたので、ペットへの装着、脱着が簡単であり、糞尿処理が容易で衛生的である。
（ｖ）おむつカバー用の生地も通気性の良い（伸縮性）素材なら市販のものをそのまま使用できてコストダウンが図れる。
（ｖｉ）ペットが動き易いために快適に過ごせる。
（ｖｉｉ）ペットの高齢介護に最適である。
（ｖｉｉｉ）ペットの丈、胴周り、首周り、足周り、尾周り等の大きさを調整して適用できるペットの許容範囲を緩和できる。
（ｉｘ）ペットの体型や品種の違い等により複数種に標準化した該おむつカバーを提供できる。また、その標準化おむつカバーに合わせて市販の成人用おむつや女性用生理パット等のタイプをおむつカバー地又はその包装袋に表示して、飼い主の要望に合わせることができる。
【発明を実施するための最良の形態】
【０００９】  以下、本発明を図面に基づいて詳細に説明するが、ペットとして犬８を使用した場合の例を示す。
図１−（イ）はペット用おむつカバーをペットに装着した時の側面図であり、図１−（ロ）はその背面図である。
図２はペット用おむつカバーをペットに装着した時の尾部分図である。
図３はペット用おむつカバーの内側展開図である。
図４はペット用おむつカバーの組立図である。【００１０】  本発明のペット用おむつカバー１は、図１に示すように、基本的に、前足に対応する部分に左右２つの前足穴部６、６’を有する胴部シート１０と尾に対応する部分にペットの尾部下方の肛門部を十分に露出するに十分な長目の切れ目状の尾穴部１２（図３参照）を有する尻部シート１１とが連続したシートからなり、該おむつカバー１をペットに装着時に、胴部シート１０の前部がペットの首穴部９を構成し、胴部シート１０の後部と尻部シート１１の側面部とで後足穴部７、７’を構成するものであって、胴部シート１０にその両側面で互いに仮着する上部係合部２、２’と尻部シート１０の先端部とそれに対応する胴部シート１０の後端部に互いに仮着する腰部係合部３、３’を設け、おむつカバー１の穴部の周囲に伸縮部を設ける構造を有する。
なお、本発明で言うペットとは、犬、猫等の四足動物からなるペットを指す。【００１１】  更に、細部にわたり詳細に説明する。
ここで言うおむつとは、保水性、通気性を持つ紙おむつであれば特に制限されないが、例えば市販の成人用おむつや女性用衛生パットを含むものを指すが、その使用はコスト面から好ましい。
おむつカバー１内の穴部の周囲に設ける伸縮部は、伸縮部が適切な幅にわたって形成されるなら特に制限されないが、特にペットの尿等が漏れる恐れのあるおむつカバーの後足穴部７、７’に相当する部位の周囲４、尾穴部１２の周囲５に設けられことが好ましく、且つ伸縮部の素材は穴部の回りに伸縮性を与えるなら特に制限されないが、例えば、ゴム等からなる弾性材を織り込むか或いはゴム紐等を通すことにより形成することが良い。
更に、該伸縮部が設けられた穴部の他の穴部の周囲には、天然又は合成の布又はシート、例えば強度的に高いポリエステルシート、ナイロンシート等や木綿布、ポリエステル繊維布等の生地による補強用縁取りを施すことが望ましい。【００１２】  おむつカバー１をペットに装着に必要な上部係合部２、２’、腰部係合部３、３’は、歩行中等に係合部が外れないならその手段は問わないが、例えばベルクロ（マジックテープ；商品名）又はスナップボタンの使用が好ましいが、より好ましくはベルクロ（マジックテープ；商品名）である。
本発明のおむつカバー１をペットに装着するに際して、通常の市販の成人用おむつや女性用生理パットを使用できるのが利点である。もちろん、高価であるが、市販のペット用おむつ等を使用しても良い。
そして、該おむつ又は生理パットには、おむつカバーに仮着させるための粘着層があるため、通常、おむつカバーに特別の工夫を凝らさなくともおむつカバーそのままの状態でおむつを装着できるが、例えば胴部シート１０の内側中央部におむつ装着シート１３を設けることが好ましい。
該おむつ装着シート１３は、装着面側に粘着層を持つおむつではポリプロピレンシートやポリエチレンシート等の合成樹脂シートであり、粘着層を持たないおむつでは、おむつとおむつカバーとが仮着できる程度の粘着力が必要であるために、粘着シート又はベルクロ（マジックテープ）の使用が望ましい。【００１３】  また、ペット用おむつカバー地としては、市販の生地をそのまま使用でき、特に制限されないが、例えばペットに良くフィットさせるために、伸縮編又は伸縮織であって、ペットの健康上通気性を有する素材、例えば木綿等の通気性天然生地の使用が望ましい。
更に、本発明のおむつカバーの大きさは、ペットの体型、新種等によって制限されるが、ペットの丈、胴周り、首周り、足周り、尾周り等の体型や品種の違い等により複数種、例えば３〜５種に比較的細かく標準化したおむつカバーを提供するようにすれば、種々の応用面での制約を克服できる。
ペットの丈、胴周り、首周り、足周り、尾周り等の大きさ寸法を比較的緩く調整して適用できるペットの許容範囲を広げることができ、特に市場の動向に十分に沿うことができる。
また、その標準化おむつカバーに対応する市販のおむつのタイプをおむつカバー地又はその包装袋に表示することにより、飼い主の要望に合わせることができる。
更に、本発明のおむつカバーに、引き綱部を設けても良い。【００１４】  ペットに本発明のおむつカバー１を装着するには、図３に示すように、おむつ１４の粘着層１５上の仮着シール（図示しない）を剥がして、おむつカバー１の装着部１３にペットの肛門部に掛からないようにセットし、ペットに装着する。
このようにすることにより、ペットの尿等はおむつ１４に吸収され、糞のみは別に回収することになる。
勿論のこと、ペットが動けなくなって糞処理も同時に行う場合には、おむつ１４をペットの肛門部まで被せて後に装着すれば良い。
【産業上の利用可能性】
【００１５】  本発明のペット用おむつカバーは、ペットが動いてもズレなく、また、糞尿等を別々に取り扱うことができ、更に尿等を漏らす恐れがなく、また、動き易いためにペットを外出、散歩させ易く、ペット自身も快適に過ごせる。
また、市販の成人用紙おむつや女性用の衛生パットをそのまま使用できるため、飼主の負担を軽減でき、ペットの高齢介護に極めて適切である。
【図面の簡単な説明】
【００１６】
【図１】  （イ）はペット用おむつカバーをペットに装着した時の側面図であり、（ロ）はその背面図である。
【図２】  ペット用おむつカバーをペットに装着した時の尾部分図である。
【図３】  ペット用おむつカバーの内側展開図である。
【図４】  ペット用おむつカバーの組立図である。
【符号の説明】
【００１７】１  ペット用おむつカバー
２、２’上部係合部
３、３’腰部係合部
４  後足回り伸縮部
５  尾回り伸縮部
６、６’前足穴部
７、７’後足穴部
８  犬
９  首穴部
１０  胴部シート
１１  尻部シート
１２  尾穴部
１３  おむつ装着シート
１４  紙おむつ
１５  粘着層
【図１】
2006262880.tif 000003
【図２】
2006262880.tif 000004
【図３】
2006262880.tif 000005
【図４】
2006262880.tif 000006